(57)【要約】【課題】簡単な操作にてミュートを実現する。【解決手段】指板部１６上に配設されたフレット操作子３５が押下されると、音高スイッチ部３は、対応する音高信号を出力する。操作子保持部保護部１２に内装される取り付け部材１４には、弦状操作子５１ｅの係止部５１ｅｔが係合し、キーオン及びレベル検出部は、弦状操作子５１の撥弦操作に応じて、発音タイミングを決定する第１のトリガ信号を音源部７７に出力する。操作子保持部保護部１２の第１面１２ａには、ミュート指板部１３が、弦状操作子５１ｅの被操作部端部５１ｅｐに近接して露出して配設され、楽音発生中に、ミュート指板部１３に接触すると、ミュート検出部５ｂは、全弦ミュートをするための第２のトリガ信号を出力し、ミュート回路部７８が、音源部７７の出力信号における楽音のレベルを所定値だけ低下させる。【選択図】    図１
2004212885.tif 000002
【特許請求の範囲】
【請求項１】
指板部（１６）に設けられ、音高を決定するための音高決定操作子（３５）と、
前記指板部以外の位置に配設され、発音タイミングを決定するための発音タイミング決定操作子（５１）と、
前記音高決定操作子の操作及び前記発音タイミング決定操作子の操作に応じて楽音を発生させる楽音発生手段（７７）と、
奏者の体の一部と接触することで前記楽音発生手段により発生される楽音をミュートするためのミュート指板部（１３）とを有し、
前記ミュート指板部は、前記発音タイミング決定操作子のテール側端部に近接し、露出して配設されたことを特徴とする電子楽器。
【発明の詳細な説明】
【０００１】
【発明の属する技術の分野】
本発明は、疑似弦等の操作子の操作を検出して楽音を電気的に発生させるようにした弦楽器型等の電子楽器に関する。
【０００２】
【従来の技術】
従来、下記特許文献１で示されるように、弦部材等の発音タイミング決定操作子の操作を検出して楽音を電気的に発生させるようにした電子楽器が知られている。この電子楽器では、例えば、楽器全体をギター型に構成し、楽器本体部（胴体部）に設けた擬似弦である発音タイミング決定操作子の撥弦動作を検出し、その検出信号をトリガとして楽音を発生させるようにしている。この楽器では例えば、棹部に設けた音高決定操作子で音高を決定すると共に、胴体部の発音タイミング決定操作子を撥いて楽音発生のタイミングの決定や自動演奏の歩進の制御等を行うようにしている。
【０００３】
また、この楽器では、各発音タイミング決定操作子に指で触れると、そのタッチされた操作子（ＣＨ：チャネル）に対応して発生している楽音のレベルを所定値（例えば２０ｄｂ）だけ低下させることでミュートできるようにしている。これにより、再撥時等に自然な楽音を発生させることができる。
【０００４】
【特許文献１】
特開２００２−２５８８３９号公報
【０００５】
【発明が解決しようとする課題】
しかしながら、上記特許文献１の電子楽器では、ミュートするためには、奏者は、発音に対応している発音タイミング決定操作子を瞬時に認識し、その操作子に適度な強さで触れなければならないため、高度の熟練が必要となる。特に、初級者は、次の発音に対処することで精一杯であり、消音のために適切な弦に適切に触れることが難しく、ミュート操作が困難であるという問題があった。
【０００６】
本発明は上記従来技術の問題を解決するためになされたものであり、その目的は、簡単な操作にてミュートを実現することができる電子楽器を提供することにある。
【０００７】
【課題を解決するための手段】
上記目的を達成するために本発明の請求項１の電子楽器は、指板部に設けられ、音高を決定するための音高決定操作子と、前記指板部以外の位置に配設され、発音タイミングを決定するための発音タイミング決定操作子と、前記音高決定操作子の操作及び前記発音タイミング決定操作子の操作に応じて楽音を発生させる楽音発生手段と、奏者の体の一部と接触することで前記楽音発生手段により発生される楽音をミュートするためのミュート指板部とを有し、前記ミュート指板部は、前記発音タイミング決定操作子のテール側端部に近接し、露出して配設されたことを特徴とする。
【０００８】
この構成によれば、ミュート指板部に手の掌部等が接触すると、音高決定操作子の操作及び発音タイミング決定操作子の操作に応じて発生している楽音がミュートされる。ミュート指板部は、発音タイミング決定操作子のテール側端部に近接し、露出して配設されているので、ミュート指板部に接触する手の運び量を最少にでき、例えば、発音タイミング決定操作子を操作する手の一部（例えば親指付け根等の掌部）で容易に接触できるので、初級者にとってもミュート操作が容易である。よって、簡単な操作にてミュートを実現することができる。
【０００９】
【発明の実施の形態】
以下、本発明の実施の形態を図面を参照して説明する。
【００１０】
図１は、本発明の一実施の形態に係る電子楽器の平面図である。図２は、図１のＡ−Ａ線に沿う部分断面図である。本電子楽器は、ギター型に形成され、胴体部１及び棹部２から成る。棹部２には、音高スイッチ部３、パネル操作部４が設けられ、胴体部１には、弦入力部５及び後述するメモリスロット６（図１では図示せず）が設けられる。弦部材から成る発音タイミング決定操作子（以下、「弦状操作子５１」と称する）は、６本（５１ａ〜５１ｆ）設けられ、ギターの弦の太さに倣い、弦状操作子５１ａが最も太く、５１ｂ・・・５１ｆという順序で細くなっている。
【００１１】
本電子楽器は、左手でギターのフレット間を押さえるときのようにして音高スイッチ部３で音高を設定すると共に、右手でギターの弦を撥弦するようにして弦入力部５の弦状操作子５１を撥くことで、電気ギターの演奏操作や発音を擬似的に実現したものである。
【００１２】
図１に示すように、棹部２には、ギターでいうフレット配設面に相当する指板部１６が設けられ、この指板部１６上に、フレット操作子３５（３５ａ〜３５ｆ）が複数設けられている。フレット操作子３５は、ギターでいうフレット間対応位置に配設され、弦状操作子５１に対応して同一のフレット間領域に６個ずつ並列配置されている。フレット操作子３５ａ〜３５ｆが、弦状操作子５１ａ〜５１ｆに対応している。胴体部１にはまた、弦入力部５の下方にサウンドホール１１が設けられ、サウンドホール１１内に不図示のスピーカが配設される。パネル操作部４には、表示部４１や各種スイッチが設けられ、パネル操作部４は、楽器種類やモードの設定の入力のほか、各種情報の表示に用いられる。
【００１３】
なお、以下、棹部２からみて胴体部１の方向を「テール方向」と称する。胴体部１には、操作子保持部保護部１２が設けられる。図２に示すように、操作子保持部保護部１２内には、取り付け部材１４が内装され、弦状操作子５１ｅの係止部５１ｅｔが、取り付け部材１４の端部１４ａに係合している。取り付け部材１４の端部１４ａには、ピエゾ検出部１５が設けられている。詳細構成の説明は省略するが、上記特許文献１と同様に、ピッキングと同じ要領で弦状操作子５１ｅを指またはピック等で撥くと、弦状操作子５１ｅが、取り付け部材１４の支点部１４ｂを軸に弦状操作子５１の並び方向に撓むように変位し、係止部５１ｅｔが、取り付け部材１４の端部１４ａと共に移動する。ピエゾ検出部１５は、取り付け部材１４の移動中心１４ｃを中心に移動し、移動加速度が所定の閾値を超えた場合にのみ出力信号を発生させるようになっている。
【００１４】
操作子保持部保護部１２は、第１面１２ａ、第２面１２ｂというように段差状に形成され、第１面１２ａには、全弦状操作子５１幅より長いミュート指板部１３が設けられる（図１参照）。ミュート指板部１３は、弦状操作子５１ｅの被操作部端部５１ｅｐに近接し、胴体部１の表面１０側に露出して配設されている。なお、弦状操作子５１ｅに着目して説明したが、ミュート指板部１３は、他の弦状操作子５１の被操作部端部５１ｐにも同様に近接している。なお、他の弦状操作子５１及びその対応構成要素についても同様に構成される。
【００１５】
図３は、本実施の形態に係る電子楽器の制御構成を示すブロック図である。メモリスロット６及び音高スイッチ部３は音源部７７を介してミュート回路部７８に接続されている。弦入力部５は、ピエゾ検出部１５及びミュート検出部５ｂを備え、これらが、弁別回路部９０を介して、音源部７７、ミュート回路部７８及び、不図示のアンプとスピーカを含んで構成されるサウンドシステム（ＳＳ）８１に接続されている。ミュート回路部７８の出力は、Ｄ／Ａコンバータ８０を介して、サウンドシステム８１に接続され、上記スピーカから楽音が発生するようになっている。
【００１６】
音高スイッチ部３は、押下されたフレット操作子３５に対応する検出信号を出力し、この出力が、音高を決定する信号、すなわち、各弦状操作子５１に対応する複数のフレット操作子３５のうちのいずれが押下されたかを示す音高信号となる。
【００１７】
弁別回路部９０は、後述する第１のトリガ信号が入力されたときは、音源部７７に対して音源指示信号を出力する一方、後述する第２のトリガ信号が入力されたときは、ミュート回路部７８に対してミュートを指示する信号を出力する。弁別回路部９０は、キーオン及びレベル検出部を含んでおり、キーオン及びレベル検出部は、弦状操作子５１の撥弦操作がピエゾ検出部１５により検出されることで、発音タイミングを決定する第１のトリガ信号を音源部７７に出力すると共に、ピエゾ検出部１５からのレベル信号をエンベロープ抽出し、増幅して、サウンドシステム８１内のアンプのレベル制御をするための制御信号ＣＳとしてサウンドシステム８１に供給する。これによって、撥弦強さによるレベル制御が可能になる。
【００１８】
ミュート検出部５ｂは、ミュート指板部１３に対する奏者の手等の接触が検出されることで、それに応じて全弦ミュートをするための第２のトリガ信号を出力する。メモリスロット６からは、不図示のメモリカードに格納された曲データ等が入力される。ミュート回路部７８は、例えば、音源部７７からの波高値と弁別回路部９０からのレベル値とを演算（乗算）して、上記波高値を２０ｄＢダウンさせるように演算して出力させる回路で構成される。
【００１９】
本実施の形態における楽音発生処理の一例を説明する。なお、撥弦による楽音発生は各弦状操作子５１毎に行われるが、消音処理は全弦に対して行われる。
【００２０】
奏者がフレット操作子３５を押下すると、押下されたフレット操作子３５を示す音高信号が音高スイッチ部３から音源部７７に出力される。一方、奏者が弦状操作子５１を撥弦すると、ピエゾ検出部１５によって第１のトリガ信号が弁別回路部９０から音源指示信号として音源部７７に出力される。そして、上記音源部７７に入力された音高信号及び音源指示信号によって、音高信号が示す音高、音源指示信号が示すタイミングにて楽音を発生させるように制御される。音源部７７からの楽音信号は、ミュート回路部７８、Ｄ／Ａコンバータ８０を介してサウンドシステム８１に供給されてスピーカから楽音が発生する。
【００２１】
一方、楽音発生中に、奏者がミュート指板部１３に手等で触れると、第２のトリガ信号がミュート検出部５ｂから弁別回路部９０に入力される。すると、弁別回路部９０はミュートを指示する信号をミュート回路部７８に送り、ミュート回路部７８は、音源部７７から出力された信号に対してミュート処理を施す。すなわち、現在発音中の楽音のすべてをミュートするべく、音源部７７の出力信号における楽音のレベルを所定値（例えば、２０ｄＢ）だけ低下させる。その結果、消音されたときの楽音レベルの遷移が自然になる。
【００２２】
図４は、本電子楽器の側面視に相当する模式図である。本楽器では、演奏時において、奏者の右手の親指付け根近傍等を含む、掌部と手首との境目当たりの接触部ＨＤでミュート指板部１３に接触することが想定される。すなわち、ミュート指板部１３は、弦状操作子５１の操作可能な範囲におけるテール方向の端部である被操作部端部５１ｅｐに近接して露出して配置されているので、弦状操作子５１を撥弦操作しているとき、右手の接触部ＨＤがミュート指板部１３に比較的近接している。具体的には、接触部ＨＤの下方近傍にミュート指板部１３が位置しているのが通常である。そのため、発音中にミュート指板部１３に接触するための手の運び量を最少にすることができ、手の動きに無駄がなくなるので、初級者にとってもミュート操作が容易である。
【００２３】
本実施の形態によれば、簡単な操作にて全弦ミュートを実現することができる。また、弦毎の個別ミュートに比し、回路構成やソフト処理も複雑化せず、構成が簡単である。
【００２４】
なお、本実施の形態では、ミュート指板部１３を全弦状操作子５１に対して１つ設けたが、各弦状操作子５１毎に対応して小さく分割して６個配設し、各弦状操作子５１の撥弦による発音を個別にミュートできるように構成してもよい。さらには、６個配設したミュート指板部１３のいずれかが接触されたとき、一律に全弦ミュートされるモードと、接触されたミュート指板部１３に応じて個別ミュートされるモードとを設定可能に構成すれば、奏者の上達に応じて適切な練習、演奏が可能になる。
【００２５】
なお、本実施の形態では、ミュート指板部１３を、操作子保持部保護部１２の第２面１２ｂより低い第１面１２ａに設けたが、ミュート指板部１３は、胴体部１に固定的にされ、被操作部端部５１ｅｐに近接して露出して配置されていればよく、例えば、操作子保持部保護部１２の第１面１２ａに代えて第２面１２ｂに配設されてもよい。あるいは、ミュート指板部１３を第１面１２ａに設ける場合であっても、第１面１２ａと第２面１２ｂを面一、あるいは高低関係を逆にする構成も採用可能である。
【００２６】
特に、不用意にミュート指板部１３に触れることを回避する観点からは、第１面１２ａにミュート指板部１３を設け、ミュート指板部１３の弦状操作子５１ｃ、５１ｄ対応部分と第２面１２ｂとを面一にし、且つ、ミュート指板部１３の弦状操作子５１ａ、５１ｂ、５１ｅ、５１ｆ対応部分を弧状に形成して弦状操作子５１ｃ、５１ｄ対応部分より低くし、ミュート指板部１３が、中心から外側にいくほど低くなるように形成するのが望ましい。
【００２７】
なお、本実施の形態において、ミュート処理する場合、楽音レベルを所定値だけ低下させるようにしたが、低下させる態様はこれに限るものでなく、通常のギターにおいて指接触時に生じるエンベロープ曲線の変化を擬似的に再現できるような態様で楽音レベルの時間的変化を設定してもよい。また、構成を簡単にするためには、ミュートにより発音を一律に完全停止させるようにしてもよい。
【００２８】
【発明の効果】
以上説明したように、本発明によれば、簡単な操作にてミュートを実現することができる。
【図面の簡単な説明】
【図１】本発明の一実施の形態に係る電子楽器の平面図である。
【図２】図１のＡ−Ａ線に沿う部分断面図である。
【図３】本実施の形態に係る電子楽器の制御構成を示すブロック図である。
【図４】本電子楽器の側面視に相当する模式図である。
【符号の説明】
１  胴体部、  ２  棹部、  ５  弦入力部、  １５  ピエゾ検出部、  ５ｂ  ミュート検出部、  １２  操作子保持部、  １３  ミュート指板部、  １６  指板部、  ３５  フレット操作子（音高決定操作子）、  ５１  弦状操作子（発音タイミング決定操作子）、  ５１ｐ  被操作部端部（テール側端部）、  ７７  音源部（楽音発生手段）、  ７８  ミュート回路部
【図１】
2004212885.tif 000003
【図２】
2004212885.tif 000004
【図３】
2004212885.tif 000005
【図４】
2004212885.tif 000006